(57)【特許請求の範囲】
【請求項１】
上部開口型のポットと、このポットの上部開口部を開閉自在に閉塞する蓋体と、前記ポット内の上方に支持されペーパーフィルターを装着可能なペーパードリッパーと、前記ポット内に立設されて下端部がポット内の底部付近に配設され上端部が前記ペーパードリッパーより上方に配設される揚湯管とから成るコーヒーパーコレータであって、前記ペーパードリッパーは、下部に飲料用カップに着脱自在に載置可能な載置台部が設けられ、この載置台部を着脱自在に載置してペーパードリッパーを前記ポット内の上方に支持可能なドリッパー支持部が、ポット内に設けられ、前記揚湯管は、前記ポット内に着脱自在に設けられていると共に、ポット内の上方に支持された前記ペーパードリッパーを側方に迂回しつつ立設して上端部がペーパードリッパーの上方に配置される形状に形成されていることを特徴とするコーヒーパーコレータ。
【請求項２】
前記ペーパードリッパーは、側部に前記揚湯管を逃げる逃げ凹部が形成されていることを特徴とする請求項１記載のコーヒーパーコレータ。
【請求項３】
前記揚湯管は、前記ポットの内壁面に沿うようにして立ち上がった後、上部がポットの中心方向に折曲されて上端部が前記ペーパードリッパーの中心部上方位置に配設される形状に形成されていることを特徴とする請求項１，２のいずれか１項に記載のコーヒーパーコレータ。
【請求項４】
前記揚湯管は、下部に前記ポット内の底部に着脱自在に載置可能な台座を有しており、この台座の偏心位置に揚湯管が立設されていると共に、この揚湯管は、ポット内壁面に沿うようにして前記ペーパードリッパーを側方に迂回する形状に形成されていることを特徴とする請求項１〜３のいずれか１項に記載のコーヒーパーコレータ。
【発明の詳細な説明】
【技術分野】
【０００１】
本発明は、コーヒーパーコレータに関するものである。
【背景技術】
【０００２】
従来から、パーコレータと称されるコーヒー抽出用器具が使用されている。
【０００３】
このパーコレータを簡単に説明すると、蓋付のポットと、このポット内でポットの底部から立設される揚湯管と、このポット内で前記揚湯管上部の周囲に設けられる籠とから成るもので、ポット内に籠下まで水を入れ、籠内にコーヒー粉を収容してポットを加熱すると、熱湯が揚湯管を上昇し揚湯管上部から噴き出して籠内のコーヒー粉にかかることでコーヒー（液）が抽出され、抽出されたコーヒーは籠下の湯に混ざり、再度揚湯管を上昇して籠内のコーヒー粉に降りかかり、これが繰り返されることで適宜な濃度のコーヒーが得られる（例えば、特許文献２参照）。
【先行技術文献】
【特許文献】
【０００４】
【特許文献１】特開昭６１−２９３４０９号公報
【発明の概要】
【発明が解決しようとする課題】
【０００５】
パーコレータは、焚き火などの直火にかけて使用することも可能な手軽さから、キャンプなどのアウトドアレジャーで広く使用されているが、籠の網目がペーパーフィルターなどと比べると大きいことから、コーヒー抽出時に籠内に収容されているコーヒー粉までもが籠下の湯に落下し易く、落下したコーヒー粉がポットの底で泥状化して溜まってしまうことが往々にしてあった。
【０００６】
そして、抽出されたコーヒーに泥状化したコーヒー粉が混ざると風味が大きく損なわれてしまうだけでなく、場合によっては泥状化したコーヒー粉が容器底に焦げ付いてしまって使用後のポットの洗浄作業が非常に厄介になるという問題があった。
【０００７】
本発明は、このような従来のパーコレータの問題点に注目し、これを解決しようとするもので、籠に替えてペーパードリッパーを用いることによりポット内底部へのコーヒー粉の落下を防止できると共に、ペーパードリップ方式でコーヒーを抽出することも可能となる簡易構造のコーヒーパーコレータを提供するものである。
【課題を解決するための手段】
【０００８】
添付図面を参照して本発明の要旨を説明する。
【０００９】
上部開口型のポット１と、このポット１の上部開口部２を開閉自在に閉塞する蓋体３と、前記ポット１内の上方に支持されペーパーフィルター６を装着可能なペーパードリッパー４と、前記ポット１内に立設されて下端部がポット１内の底部付近に配設され上端部が前記ペーパードリッパー４より上方に配設される揚湯管５とから成るコーヒーパーコレータであって、前記ペーパードリッパー４は、下部に飲料用カップＣに着脱自在に載置可能な載置台部７が設けられ、この載置台部７を着脱自在に載置してペーパードリッパー４を前記ポット１内の上方に支持可能なドリッパー支持部８が、ポット１内に設けられ、前記揚湯管５は、前記ポット１内に着脱自在に設けられていると共に、ポット１内の上方に支持された前記ペーパードリッパー４を側方に迂回しつつ立設して上端部がペーパードリッパー４の上方に配置される形状に形成されていることを特徴とするコーヒーパーコレータに係るものである。
【００１０】
また、前記ペーパードリッパー４は、側部に前記揚湯管５を逃げる逃げ凹部９が形成されていることを特徴とする請求項１記載のコーヒーパーコレータに係るものである。
【００１１】
また、前記揚湯管５は、前記ポット１の内壁面に沿うようにして立ち上がった後、上部がポット１の中心方向に折曲されて上端部が前記ペーパードリッパー４の中心部上方位置に配設される形状に形成されていることを特徴とする請求項１，２のいずれか１項に記載のコーヒーパーコレータに係るものである。
【００１２】
また、前記揚湯管５は、下部に前記ポット１内の底部に着脱自在に載置可能な台座10を有しており、この台座10の偏心位置に揚湯管５が立設されていると共に、この揚湯管５は、ポット１内壁面に沿うようにして前記ペーパードリッパー４を側方に迂回する形状に形成されていることを特徴とする請求項１〜３のいずれか１項に記載のコーヒーパーコレータに係るものである。
【発明の効果】
【００１３】
本発明は上述のように構成したから、揚湯管を邪魔にすることなくポット内の上方にペーパードリッパーを支持でき、ペーパードリッパーに装着されたペーパーフィルターによりコーヒー粉がペーパードリッパー下方に落ちることが防止されて美味しいコーヒーを抽出でき、しかも本発明は、ペーパードリップ方式でポット内にコーヒーを抽出する使い方もでき、ペーパードリッパーを単体で使用して飲料用カップへ直接コーヒーを抽出する使い方もでき、その上本発明のペーパードリッパーは、既存の載置台部付のペーパードリッパーを採用可能な構成であるので容易に設計実現可能となるなど、極めて実用性に優れたコーヒーパーコレータとなる。
【００１４】
また、請求項２記載の発明においては、揚湯管が側方に迂回しつつ立設し易いペーパードリッパーを、簡易構成により容易に設計実現可能となる一層実用性に優れた構成のコーヒーパーコレータとなる。
【００１５】
また、請求項３記載の発明においては、ポット内の上方に支持されたペーパードリッパーを側方に迂回しつつ立設して上端部がペーパードリッパーの上方に配置される揚湯管を、簡易構成にして容易に設計実現可能となる一層実用性に優れた構成のコーヒーパーコレータとなる。
【００１６】
また、請求項４記載の発明においては、ポット内に着脱自在に立設可能且つポット内の上方に支持されたペーパードリッパーを側方に迂回しつつ立設する揚湯管を、簡易構成にして容易に設計実現可能となる一層実用性に優れた構成のコーヒーパーコレータとなる。
【図面の簡単な説明】
【００１７】
【図１】本実施例を示す分解斜視図である。
【図２】本実施例の使用状態（パーコレータ方式の使用状態）を示す説明側断面図である。
【図３】本実施例の、ポットから揚湯管と蓋体を取外し、ペーパードリッパーに熱湯を注いでポット内にコーヒーを抽出している状態（ペーパードリップ方式の使用状態）を示す説明側断面図である。
【図４】本実施例のペーパードリッパーを飲料用カップ上にセットし、ペーパードリッパーに熱湯を注いで飲料用カップ内にコーヒーを抽出している状態（ペーパードリッパーを単体で用いた場合の使用状態）を示す説明側断面図である。
【発明を実施するための形態】
【００１８】
好適と考える本発明の実施形態を、図面に基づいて本発明の作用を示して簡単に説明する。
【００１９】
ポット１内に揚湯管５を立設すると共に、ペーパーフィルター６を装着したペーパードリッパー４を、その載置台部７をポット１内のドリッパー支持部８に載置することによってポット１内の上方に支持する。
【００２０】
この際、揚湯管５は、ポット１内の上方に支持された前記ペーパードリッパー４を側方に迂回しつつ立設して上端部がペーパードリッパー４の上方に配置されているので、この揚湯管５が邪魔にならずにペーパードリッパー４をポット１内の上方に納めることができる。
【００２１】
続いて、ポット１内にペーパードリッパー４より下方位置まで水を入れると共に、ペーパードリッパー４にペーパーフィルター６を装着した上でコーヒー粉11を入れ、上部開口部２を蓋体３で閉塞してからポット１を火にかけると、水が沸騰し蒸発することでポット１内の圧力が上昇して水面（湯面）が押し下げられ、これに伴いポット１内底部付近の下端部から揚湯管５内に浸入している湯が押し上げられる。
【００２２】
そして、ペーパードリッパー４より上方に配設されている揚湯管５の上端部から湯が噴き出してペーパーフィルター６上のコーヒー粉11に降りかかり、ペーパーフィルター６で濾されてペーパードリッパー４の下方にコーヒー（液）が抽出される。
【００２３】
この際、コーヒー粉11はペーパーフィルター６に遮られてペーパードリッパー４下方の湯に落ちることがなく、従って、従来のパーコレータのように、抽出されたコーヒーに泥状化したコーヒー粉が混ざることはないので、美味しいコーヒーが抽出される。
【００２４】
また、本発明は、上記したパーコレータ方式だけでなく、ペーパードリップ方式でのコーヒー抽出も可能である。
【００２５】
この場合、蓋体２と揚湯管５は使用しないので、ポット１から取外す。
【００２６】
ペーパーフィルター６を装着したペーパードリッパー４をポット１内の上方に支持し、ペーパードリッパー４にコーヒー粉11を入れて上部開口部２から熱湯を注ぐことで、ポット１内のペーパードリッパー４の下方にコーヒーが抽出される。
【００２７】
また更に、ペーパードリッパー４を単体で使用してペーパードリップ方式でコーヒーを抽出することも可能である。
【００２８】
具体的には、ポット１内から取り出したペーパードリッパー４を、その載置台部７を介して飲料用カップＣに着脱自在に載置し、ペーパーフィルター６が装着されたこのペーパードリッパー４にコーヒー粉11を入れて熱湯を注ぐことで、飲料用カップＣに直接コーヒーを抽出することができる。
【００２９】
また、載置台部７が下部に設けられている本発明のペーパードリッパー４は、飲料用カップＣに載置可能な載置台部を具備する既存のペーパードリッパーを採用して構成可能であるから、実現化が容易である。
【実施例】
【００３０】
本発明の具体的な実施例について図面に基づいて説明する。
【００３１】
本実施例のコーヒーパーコレータは、上部開口型のポット１と、このポット１の上部開口部２を開閉自在に閉塞する蓋体３と、前記ポット１内の上方に支持されペーパーフィルター６を装着可能なペーパードリッパー４と、前記ポット１内に立設されて下端部がポット１内の底部付近に配設され上端部が前記ペーパードリッパー４より上方に配設される揚湯管５とから構成されている。
【００３２】
本実施例のポット１は、金属製の有底円筒状体であって、外壁面の対向位置に注ぎ口12と取手13が設けられている。
【００３３】
また、このポット１の高さ方向中ほどの内壁面には、その周方向に間隔を置いた数箇所（例えば三箇所）に短い帯状金属板がＬ字状に折曲形成された金属片８が付設されていて、この数箇所の金属片８が前記ドリッパー４を支持するドリッパー支持部８として構成されている。
【００３４】
本実施例の蓋体３は、金属製の円板状体であって、上面の中心部には、前記揚湯管５の上端部から噴き出すコーヒー（液）の色（濃度）を視認し得るように透明合成樹脂製の摘み14が設けられている。
【００３５】
本実施例のドリッパー４は、前記上部開口部２を介してポット１内より出し入れ可能な大きさのものであって、漏斗形のフィルター装着部15の下部に円板状の載置台部７が一体成形されて成る例えば合成樹脂製の公知のペーパードリッパー４が採用されている。図中符号16はコーヒー抽出孔、17は把手である。尚、図面はフィルター装着部15が台形を呈する形態のものを示し、ペーパーフィルター６もこれに対応する台形のものを示しているが、逆円錐形のフィルター装着部15を有する（逆円錐形のペーパーフィルター６を装着できる）ペーパードリッパー４が採用されていても良い。
【００３６】
このペーパードリッパー４は、その載置台部７を数箇所の前記ドリッパー支持部８に着脱自在に載置することにより、ポット１内の上方に支持されるように構成されている。
【００３７】
また、このフィルター装着部15の側部上側と載置台部７の側部とには、前記揚湯管５を逃げる逃げ凹部９が形成されている。
【００３８】
本実施例の前記揚湯管５は、例えば金属製であって、前記ポット１内に着脱自在に設けられていると共に、ポット１内の上方に支持された前記ペーパードリッパー４を側方に迂回しつつ立設して上端部がペーパードリッパー４の上方に配置される形状に形成されている。
【００３９】
また、この揚湯管５は、ポット１の内径より径小で前記ポット１内の底部に着脱自在に載置可能な円板状の台座10を下部に有していて、この台座10の下面に揚湯管５下端の開口部が開口するように構成されている。
【００４０】
また、この台座10は、外周縁の全周に脚片18が垂設されて、この脚片18により台座10下面がポット１内の底部より浮上した状態で載置されるように構成され、更にこの脚片18の数箇所には、半円形の導入部19が切欠形成されていて、台座10をポット１内の底部に載置した際には、ポット１内に入れた水（湯）がこの導入部19から台座10下方に導入されて揚湯管５（の下端開口部）へと導かれるように構成されている。
【００４１】
また、揚湯管５は、台座10の偏心位置から立設されており、下部途中が更に台座10の中心から離れた外方へ折曲されて前記ポット１の内壁面に沿いつつ前記逃げ凹部９に配設されて立ち上がった後、上部がポット１の中心方向に折曲されて上端部が前記ペーパードリッパー４の中心部上方位置に配設されると共に、上端開口部が上方を向く形状に形成されている（図１，図２参照）。
【００４２】
次に、本実施例の使用方法を説明する。
【００４３】
ポット１内の底部に台座10を載置することによって揚湯管５を立設すると共に、ペーパーフィルター６を装着したペーパードリッパー４を、前記逃げ凹部６に揚湯管５の途中部を配設することで揚湯管５を逃げつつ、載置台部７をポット１内のドリッパー支持部８に載置することによってポット１内の上方に支持する。尚、ペーパードリッパー４をポット１内の上方に支持した後で、ペーパードリッパー４にペーパーフィルター６を装着するようにしても良い。
【００４４】
続いて、ポット１内にペーパードリッパー４より下方位置まで水を入れると共に、ペーパードリッパー４（ペーパーフィルター６上）にコーヒー粉11を入れ、上部開口部２を蓋体３で閉塞してからポット１を火にかけると、水が沸騰し蒸発することでポット１内の圧力が上昇して水面（湯面）が押し下げられ、これに伴いポット１内底部付近の下端部から揚湯管５内に浸入している湯が押し上げられる。
【００４５】
そして、ペーパードリッパー４より上方に配設されている揚湯管５の上端部から湯が噴き出してペーパーフィルター６上のコーヒー粉11に降りかかり、ペーパーフィルター６で濾されてペーパードリッパー４の下方にコーヒー（液）が抽出される（図２参照）。
【００４６】
この際、コーヒー粉11はペーパーフィルター６に遮られてペーパードリッパー４下方の湯に落ちることがなく、従って、従来のパーコレータのように、抽出されたコーヒーに泥状化したコーヒー粉が混ざることはない。
【００４７】
また、本実施例は、パーコレータ方式だけでなく、ペーパードリップ方式でのコーヒー抽出も可能である。
【００４８】
具体的には、図３に示すように、蓋体２と揚湯管５を使用せず、ペーパーフィルター６を装着したペーパードリッパー４を、その載置台部７を前記ドリッパー支持部８に載置することでポット１内の上方に支持する。
【００４９】
そして、ペーパードリッパー４にコーヒー粉11を入れて上部開口部２から熱湯を注ぐことで、ポット１内のペーパードリッパー４の下方にコーヒーが抽出される。
【００５０】
また、更に本実施例は、図４に示すように、ペーパードリッパー４を単体で使用するペーパードリップ方式でコーヒーを抽出することも可能である。
【００５１】
具体的には、ポット１内から取り出したペーパードリッパー４を、その載置台部７を介して飲料用カップＣに着脱自在に載置し、ペーパーフィルター６が装着されたこのペーパードリッパー４にコーヒー粉11を入れて熱湯を注ぐことで、飲料用カップＣに直接コーヒーを抽出することができる。
【００５２】
尚、本発明は、本実施例に限られるものではなく、各構成要件の具体的構成は適宜設計し得るものである。
【符号の説明】
【００５３】
１  ポット
２  上部開口部
３  蓋体
４  ペーパードリッパー
５  揚湯管
６  ペーパーフィルター
７  載置台部
８  ドリッパー支持部
９  逃げ凹部
10  台座
Ｃ  飲料用カップ
【図１】
0006967052.tif 000002
【図２】
0006967052.tif 000003
【図３】
0006967052.tif 000004
【図４】
0006967052.tif 000005